(57)【要約】【課題】実用化レベルで省エネルギーに貢献することができる電力消費量の計測管理システムを提供する。【解決手段】建物Ｈ１，Ｈ２，Ｈ３，Ｈ４，・・・，ＨＸに配置された電力消費機器を所定の消費単位毎に分類し、電力消費量を消費された期間毎に消費単位と関連付けて記憶する計測データ記憶手段としての計測値データベース３２と、計測値データベース３２から属性情報が同一又は類似の他の建物の電力消費量から算出された平均値と比較し、対象となる建物の消費単位の電力消費量の値から他の建物の対応する消費単位の電力消費量の平均値を差し引いた値の差が大きいものを優先した順序で表示する表示手段としてのモニタ６とを備えた構成とされている。【選択図】図１
2014070941.tif 000002
【特許請求の範囲】
【請求項１】
建物における電力消費量を計測して表示する電力消費量の計測管理システムであって、
建物に配置された電力消費機器を所定の消費単位毎に分類し、電力消費量を消費された期間毎に前記消費単位と関連付けて記憶する計測データ記憶手段と、
前記計測データ記憶手段から属性情報が同一又は類似の他の建物の電力消費量から算出された平均値と比較し、対象となる建物の消費単位の電力消費量の値から他の建物の対応する消費単位の電力消費量の平均値を差し引いた値の差が大きいものを優先した順序で表示する表示手段とを備えていることを特徴とする電力消費量の計測管理システム。
【請求項２】
前記表示手段による消費単位の電力消費量の表示は、所定期間での総量表示であることを特徴とする請求項１に記載の電力消費量の計測管理システム。
【請求項３】
前記表示手段による消費単位の電力消費量の表示は、所定期間での時系列表示であることを特徴とする請求項１に記載の電力消費量の計測管理システム。
【請求項４】
前記記憶された消費単位の電力消費量を、その消費単位を構成する区画の電力消費機器毎又は単体の電力消費機器毎に細分化して前記表示手段で表示可能とされていることを特徴とする請求項１乃至３のいずれか１項に記載の電力消費量の計測管理システム。
【請求項５】
電力消費量を料金に換算する換算手段を備え、前記表示手段による電力消費量の表示に対応する料金での換算表示が可能とされていることを特徴とする請求項１乃至４のいずれか１項に記載の電力消費量の計測管理システム。
【請求項６】
前記表示手段による表示結果に対応するアドバイス機能を有することを特徴とする請求項１乃至５のいずれか１項に記載の電力消費量の計測管理システム。
【発明の詳細な説明】
【技術分野】
【０００１】
本発明は、建物における電力消費量を計測して表示する電力消費量の計測管理システムに関するものである。
【背景技術】
【０００２】
近年、国家・自治体レベルや企業レベルにとどまらず、家庭レベルにおいても、省エネルギー意識が高まりつつある。
【０００３】
こうしたことから、特に、建物における電力消費量を計測して表示する電力消費量の計測管理システムに関する提案が多くなされている（特許文献１などを参照）。
【先行技術文献】
【特許文献】
【０００４】
【特許文献１】特開２００８−９２６８１号公報
【発明の概要】
【発明が解決しようとする課題】
【０００５】
しかしながら、特許文献１をはじめとした多くの従来の電力消費量の計測管理システムでは、他の建物における電力消費量の計測値と比較することはしていても、如何にして省エネルギーに結びつけるかという実用化レベルでの具体性に欠いていた。
【０００６】
そこで、本発明は、実用化レベルで省エネルギーに貢献することができる電力消費量の計測管理システムを提供することを目的としている。
【課題を解決するための手段】
【０００７】
前記目的を達成するために、本発明の電力消費量の計測管理システムは、建物における電力消費量を計測して表示する電力消費量の計測管理システムであって、建物に配置された電力消費機器を所定の消費単位毎に分類し、電力消費量を消費された期間毎に前記消費単位と関連付けて記憶する計測データ記憶手段と、前記計測データ記憶手段から属性情報が同一又は類似の他の建物の電力消費量から算出された平均値と比較し、対象となる建物の消費単位の電力消費量の値から他の建物の対応する消費単位の電力消費量の平均値を差し引いた値の差が大きいものを優先した順序で表示する表示手段とを備えていることを特徴とする。
【０００８】
ここで、前記表示手段による消費単位の電力消費量の表示は、所定期間での総量表示であるとよい。
【０００９】
また、前記表示手段による消費単位の電力消費量の表示は、所定期間での時系列表示であってもよい。
【００１０】
さらに、前記記憶された消費単位の電力消費量を、その消費単位を構成する区画の電力消費機器毎又は単体の電力消費機器毎に細分化して前記表示手段で表示可能とされているとよい。
【００１１】
また、電力消費量を料金に換算する換算手段を備え、前記表示手段による電力消費量の表示に対応する料金での換算表示が可能とされているとよい。
【００１２】
さらに、前記表示手段による表示結果に対応するアドバイス機能を有するとよい。
【発明の効果】
【００１３】
このような本発明の電力消費量の計測管理システムは、建物における電力消費量を計測して表示する電力消費量の計測管理システムであって、建物に配置された電力消費機器を所定の消費単位毎に分類し、電力消費量を消費された期間毎に消費単位と関連付けて記憶する計測データ記憶手段と、計測データ記憶手段から属性情報が同一又は類似の他の建物の電力消費量から算出された平均値と比較し、対象となる建物の消費単位の電力消費量の値から他の建物の対応する消費単位の電力消費量の平均値を差し引いた値の差が大きいものを優先した順序で表示する表示手段とを備えた構成とされている。
【００１４】
こうした構成なので、計測データ記憶手段から属性情報が同一又は類似の他の建物の電力消費量から算出された平均値と比較し、対象となる建物の消費単位の電力消費量の値から他の建物の対応する消費単位の電力消費量の平均値を差し引いた値の差が大きいものを優先した順序で表示手段により表示するため、省エネルギーの対象として注目すべき消費単位が一目で分かり、実用化レベルで省エネルギーに貢献することができる。
【００１５】
ここで、表示手段による消費単位の電力消費量の表示は、所定期間での総量表示である場合は、例えば１ヶ月間の総量を見れば、その１ヶ月間の省エネルギーの対象として注目すべき消費単位が分かる。
【００１６】
また、表示手段による消費単位の電力消費量の表示は、所定期間での時系列表示である場合は、例えば、１ヶ月間を日単位で見れば、特にどの日が注目すべきかなどが分かる。
【００１７】
さらに、記憶された消費単位の電力消費量を、その消費単位を構成する区画の電力消費機器毎又は単体の電力消費機器毎に細分化して表示手段で表示可能とされている場合は、どの区画の電力消費機器又はどの電力消費機器に注目すべきかが分かる。
【００１８】
また、電力消費量を料金に換算する換算手段を備え、表示手段による電力消費量の表示に対応する料金での換算表示が可能とされている場合は、料金に換算するので、感覚的に無駄の程度などが分かり易い。
【００１９】
さらに、表示手段による表示結果に対応するアドバイス機能を有する場合は、今後どのように対処すればよいのかなどの方針が立て易い。
【図面の簡単な説明】
【００２０】
【図１】実施例の電力消費量の計測管理システムの概略構成を示すブロック図である。
【図２】実施例のモニタのシステム画面の一例を示す図である。
【発明を実施するための形態】
【００２１】
以下、本発明を実施するための形態を、図面に示す実施例に基づいて説明する。
【実施例】
【００２２】
先ず、実施例の構成について説明する。
【００２３】
図１は、実施例の電力消費量の計測管理システムの概略構成を示したブロック図である。
【００２４】
この実施例の電力消費量の計測管理システムは、顧客の建物Ｈ１，Ｈ２，Ｈ３，Ｈ４，・・・，ＨＸと、管理者側サーバー３との間で成り立つシステムである。
【００２５】
すなわち、建物Ｈ１，Ｈ２，Ｈ３，Ｈ４，・・・，ＨＸには、複数の電力消費機器と接続された分電盤１と、電力消費量計測手段としての計測器２と、ルータ及びゲートウェイから成る中継器Ｒと、表示手段としてのパーソナルコンピュータのモニタ６とがそれぞれ設置されている。
【００２６】
さらに、管理会社などの管理者側に設置された管理者側サーバー３は、通信手段としての通信部３３と、抽出手段としての抽出部３０Ａを有する管理制御手段としての制御部３０と、属性データ記憶手段としての属性データベース３１と、計測データ記憶手段としての計測値データベース３２と、比較手段としての比較部４と、換算手段としての換算部５とを備えている。
【００２７】
そして、管理者側サーバー３の通信部３３と、建物Ｈ１，Ｈ２，Ｈ３，Ｈ４，・・・，ＨＸの中継器Ｒとは、外部通信網としてのインターネットＮを介してそれぞれ接続されている。
【００２８】
ここで、属性データベース３１には、建物Ｈ１，Ｈ２，Ｈ３，Ｈ４，・・・，ＨＸがどの地域にあるか、どのような仕様（断熱性能など）であるか、どのような家族構成であるかなどという属性情報やどのような電力消費機器を備えているかなどの属性情報が記憶されている。
【００２９】
また、計測値データベース３２には、インターネットＮを介して取得した建物Ｈ１，Ｈ２，Ｈ３，Ｈ４，・・・，ＨＸに設置された電力消費機器の電力消費量の測定値データが時間単位、日単位、月単位、年単位などで抽出可能に記憶されている。
【００３０】
なお、建物Ｈ１，Ｈ２，Ｈ３，Ｈ４，・・・，ＨＸに設置された計測器２は、冷蔵庫やテレビなどの単体の電力消費機器の電力消費量と、照明などの区画の電力消費機器の電力消費量とを計測可能である。
【００３１】
そして、例えば、建物Ｈ１において、パーソナルコンピュータのモニタ６のシステム画面を表示させる指令を出すと、制御部３０は、比較部４で比較を行い、属性データベース３１から建物Ｈ１と属性情報が同一又は類似する建物を選び出し、その選び出した建物の電力消費量の測定値データを計測値データベース３２から抽出部３０Ａで抽出し、通信部３３からインターネットＮを介してモニタ６に送る。
【００３２】
すると、建物Ｈ１のモニタ６に、建物Ｈ１（対象邸）の電力消費量と、属性情報が同一又は類似する建物の電力消費量の平均値（他邸平均）とが消費単位毎に比較できるシステム画面が表示される。
【００３３】
このシステム画面の一例を分かり易いように、図２に示した。
【００３４】
図２で示したモニタ６のシステム画面では、１ヶ月の総量で、他邸平均と比較して、対象となる建物Ｈ１の消費単位の電力消費量の値から他の建物の対応する消費単位の電力消費量の平均値を差し引いた値の差が大きいものを優先した順序（ワースト順位）で上から表示している。
【００３５】
このシステム画面では、各欄の値がｋｗｈで表示されているので、上にある料金換算ボタンをクリックすると、管理者側サーバー３の換算部５が電気料金に変換し、この変換されたものが表示される。
【００３６】
また、冷蔵庫がワースト１位となっているが、この理由を知りたい場合は、冷蔵庫の欄を指定したうえで、上にあるアドバイスボタンをクリックすると、例えば、「ドアの開け閉めをなるべくひかえましょう。」などのメッセージボックスが表示される。
【００３７】
なお、電力消費量の多い順に表示したり、図２のシステム画面とは逆に、節約できた順に上から表示したりすることなども、ソート操作を行えば容易に可能である。
【００３８】
また、１ヶ月間を日単位で時系列的に表示することもでき、特にどの日に原因があったのかなどが分かる。
【００３９】
次に、実施例の作用効果について説明する。
【００４０】
このような実施例の電力消費量の計測管理システムは、建物Ｈ１，Ｈ２，Ｈ３，Ｈ４，・・・，ＨＸにおける電力消費量を計測して表示する電力消費量の計測管理システムである。
【００４１】
そして、建物Ｈ１，Ｈ２，Ｈ３，Ｈ４，・・・，ＨＸに配置された電力消費機器を所定の消費単位毎に分類し、電力消費量を消費された期間毎に消費単位と関連付けて記憶する計測データ記憶手段としての計測値データベース３２と、計測値データベース３２から属性情報が同一又は類似の他の建物の電力消費量から算出された平均値と比較し、対象となる建物の消費単位の電力消費量の値から他の建物の対応する消費単位の電力消費量の平均値を差し引いた値の差が大きいものを優先した順序で表示する表示手段としてのモニタ６とを備えた構成とされている。
【００４２】
こうした構成なので、計測値データベース３２から属性情報が同一又は類似の他の建物の電力消費量から算出された平均値と比較し、対象となる建物の消費単位の電力消費量の値から他の建物の対応する消費単位の電力消費量の平均値を差し引いた値の差が大きいものを優先した順序でモニタ６により表示するため、省エネルギーの対象として注目すべき消費単位が一目で分かり、実用化レベルで省エネルギーに貢献することができる。
【００４３】
ここで、モニタ６による消費単位の電力消費量の表示は、１ヶ月間での総量表示である。
【００４４】
このため、これを見れば、その１ヶ月間の省エネルギーの対象として注目すべき消費単位が分かる。
【００４５】
また、モニタ６による消費単位の電力消費量の表示は、日単位での時系列表示とすることもできる。
【００４６】
このため、特にどの日が注目すべきかなどが分かる。
【００４７】
さらに、記憶された消費単位の電力消費量を、その消費単位を構成する照明などの区画の電力消費機器毎や冷蔵庫などの単体の電力消費機器毎に細分化してモニタ６で表示可能とされている。
【００４８】
このため、どの区画の電力消費機器又はどの電力消費機器に注目すべきかが分かる。
【００４９】
また、電力消費量を料金に換算する換算手段としての換算部５を備え、モニタ６による電力消費量の表示に対応する料金での換算表示が可能とされている。
【００５０】
このため、料金に換算するので、感覚的に無駄の程度などが分かり易い。
【００５１】
さらに、モニタ６による表示結果に対応するアドバイス機能を有する。
【００５２】
このため、今後どのように対処すればよいのかなどの方針が立て易い。
【００５３】
以上、図面を参照して、本発明を実施するための形態について実施例をもとに詳述してきたが、具体的な構成は、上記した実施例に限らず、本発明の要旨を逸脱しない程度の設計的変更は、本発明に含まれる。
【００５４】
例えば、上記した実施例では、消費単位の消費電力のワースト順位を上から並べて表示したが、これに限定されず、例えば、ワースト順位の高いものを色を変えるなどして目立つようにして表示するなどしてもよい。
【００５５】
また、上記した実施例では、電力消費量の表示を数値としたが、これに限定されず、例えば、棒グラフなどで表示してもよい。
【００５６】
また、上記した実施例では、電力消費量の総量の表示を月単位とし、電力消費量の時系列的な表示を日単位としたが、これに限定されず、例えば、電力消費量の総量の表示を日単位とし、電力消費量の時系列的な表示を時間単位するなどしてもよい。
【００５７】
さらに、上記した実施例では、分電盤１から計測器２により、消費単位の電力消費量を計測したが、これに限定されず、例えば、消費単位となる電力消費機器から直接計測するようにしてもよい。
【符号の説明】
【００５８】
１      分電盤
２      計測器（消費電力量計測手段）
３      管理者側サーバー
３０    制御部（管理制御手段）
３０Ａ  抽出部（抽出手段）
３１    属性データベース（属性データ記憶手段）
３２    計測値データベース（計測データ記憶手段）
３３    通信部（通信手段）
４      比較部（比較手段）
５      換算部（換算手段）
６      モニタ（表示手段）
Ｈ１    建物
Ｈ２    建物
Ｈ３    建物
Ｈ４    建物
ＨＸ    建物
Ｒ      中継器
Ｎ      インターネット（外部通信網）
【図１】
2014070941.tif 000003
【図２】
2014070941.tif 000004